(57)【要約】【課題】介護者および被介護者に負担を掛けずに入浴した被介護者を浴槽からの引き上げ介助することができる介助方法およびこの介助方法に適した浴槽を提供することを目的としている。【解決手段】浴槽本体２とこの浴槽本体２の上縁から外側に張り出すように設けられた框部３と、浴槽本体が底面２０から段状に高くなった腰掛け部２１とを備える浴槽１を、腰掛け部に座った被介護者の背面側の浴槽端縁と、浴室内壁面との間に介護者が入り込む介護スペースを形成するように浴室１内に配置し、介護スペースに居る介護者が、腰掛け部２１を背にして入浴した被介護者７を底面２０から腰掛け部２１に腰掛けるように引き上げる第１引き上げ動作と、腰掛け部２１に腰掛けた被介護者７をさらに腰掛け部近傍の框部３に腰掛けるように引き上げる第２引き上げ動作とを行えるようにした。【選択図】      図１２
2014061138.tif 000002
【特許請求の範囲】
【請求項１】
浴槽本体とこの浴槽本体の上縁から外側に張り出すように設けられた框部と、浴槽本体が底面から段状に高くなった腰掛け部とを備える浴槽を、
介護者が、前記腰掛け部を背にして入浴した被介護者を前記底面から腰掛け部に腰掛けるように引き上げる第１引き上げ動作と、
前記腰掛け部に腰掛けた被介護者をさらに腰掛け部近傍の框部に腰掛けるように引き上げる第２引き上げ動作とを行うことが可能に、
少なくとも前記腰掛け部に座った被介護者の背面側の浴槽端縁と、浴室内壁面との間に、介護者が入り込む介護スペースを形成するように配置したことを特徴とする浴室構造。
【請求項２】
請求項１に記載の浴室構造に使用する浴槽であって、框部の腰掛け部側部分の少なくとも腰掛け部の幅方向両側部分が框部の他の部分より外側に張り出す幅広に形成されていることを特徴とする浴槽。
【請求項３】
框部の幅広部を含む腰掛け部側部分の外縁が、浴槽の長軸に対して線対称の外側に凸となる湾曲形状をしている請求項２に記載の浴槽。
【請求項４】
腰掛け部に着脱自在に嵌り込み、嵌り込み状態で上面が周囲の幅広部とほぼ面一となり、框面の一部を形成するとともに、側面が入浴者の背中を受ける背凭れ部となる蓋部材を備えている請求項２または請求項３に記載の浴槽。
【請求項５】
請求項１に記載の浴室構造に使用する浴槽であって、腰掛け部に着脱自在に嵌り込み、嵌り込み状態で上面が周囲の幅広部とほぼ面一となり、框面の一部を形成するとともに、側面が入浴者の背中を受ける背凭れ部となる蓋部材を備えていることを特徴とする浴槽。
【発明の詳細な説明】
【技術分野】
【０００１】
本発明は、入浴した被介護者の浴槽からの引き上げ介助を容易にする浴室構造およびこの浴室構造に使用する浴槽に関する。
【背景技術】
【０００２】
足腰の弱い老人や立位保持が難しい肢体不自由者が介護者に介護されながら入浴しやすいように、浴槽の框部と浴室壁面との間にバスボードを掛け渡す、あるいは、脚部を備えた床机状のバスボードを浴槽に隣接配置した浴室構造が既に提案されている（特許文献１〜４）。
すなわち、上記浴槽構造は、被介護者を幅の広いバスボード上に、一旦腰掛けさせて安定した姿勢としたのち、框部を越えて浴槽本体内あるいは洗い場側に被介護者の足が臨むように姿勢を変えるようにして、介護者が被介護者を浴槽に安全に出入りさせることができるようにしている。
【先行技術文献】
【特許文献】
【０００３】
【特許文献１】特開2002-263024号公報
【特許文献２】特開2004-173703号公報
【特許文献３】特開2010-268890号公報
【特許文献４】特開2011-019931号公報
【発明の開示】
【発明が解決しようとする課題】
【０００４】
上記浴槽構造においては、上記したように被介護者をバスボード上に一旦腰掛けさせるようにしたので、被介護者を安全に浴槽に出入りさせることができる。
一方、洗い場側に居る介護者が、入浴中の被介護者を浴槽外に出す際には、洗い場側から介護者が、被介護者の背中側からわきの下に手を入れて一旦框部上に腰掛けるように引き上げるのが一般的である。
【０００５】
しかしながら、従来のユニットバスにおいては、浴槽の長手側の一方の側縁を浴室内壁の短手側の壁面に沿って設けるとともに、浴槽の長手方向の端縁と浴室の短手方向の内壁との間にバスボードを配置している。
また、従来のユニットバスにおいては、介護者が浴槽外から被介護者の介護を行う場合、浴槽の洗い場側からのみしか介護スペースがない。
しかも、被介護者は、通常、浴槽の長手方向の一方の壁面に設けられた背受け部を背に入浴している。
【０００６】
したがって、上記従来のユニットバスにおいては、入浴中の被介護者を浴槽外に出す際には、介護者が、洗い場側から被介護者の背中側からわきの下に手を入れて一旦框部上に腰掛けるように引き上げなければならないが、側方からの作業を行わなければならず、介護者にとって、負担が大きい。しかも、跨ぎ込み高さを低くするために、浴槽本体が洗い場床よりも落としこまれたものにおいては、介護者が中腰の姿勢などさらに不安定な姿勢で行わなければならず、介護者に負担が大きい。
【０００７】
本発明は、上記事情に鑑みて、介護者および被介護者に負担を掛けずに入浴した被介護者を浴槽からの引き上げ介助することができる浴室構造およびこの浴室構造に用いる浴槽を提供することを目的としている。
【課題を解決するための手段】
【０００８】
上記目的を達成するために、本発明にかかる浴室構造（以下、「本発明の浴室構造」と記す）は、浴槽本体とこの浴槽本体の上縁から外側に張り出すように設けられた框部と、浴槽本体が底面から段状に高くなった腰掛け部とを備える浴槽を、介護者が、前記腰掛け部を背にして入浴した被介護者を前記底面から腰掛け部に腰掛けるように引き上げる第１引き上げ動作と、前記腰掛け部に腰掛けた被介護者をさらに腰掛け部近傍の框部に腰掛けるように引き上げる第２引き上げ動作とを行うことが可能に、少なくとも前記腰掛け部に座った被介護者の背面側の浴槽端縁と、浴室内壁面との間に、介護者が入り込む介護スペースを形成するように配置したことを特徴としている。
なお、上記介護スペースの幅（浴槽端縁と浴室内壁面までの距離）は、介護人が入って介助作業が可能であれば特に限定されないが、５０ｃｍ以上が好ましい。
【０００９】
本発明の浴槽は、框部の腰掛け部側部分の少なくとも腰掛け部の幅方向両側部分が框部の他の部分より外側に張り出す幅広に形成されていることを特徴としている。
また、上記浴槽において、框部の幅広部を含む腰掛け部側部分の外縁が腰掛け部の幅方向の中心から幅方向の両側に向かって、外側に凸となる湾曲形状をしている構成や  腰掛け部に着脱自在に嵌り込み、嵌り込み状態で上面が周囲の幅広部とほぼ面一となり、框面の一部を形成するとともに、側面が入浴者の背中を受ける背凭れ部となる蓋部材を備えている構成を採用することが好ましい。
また、本発明の浴槽は、腰掛け部に着脱自在に嵌り込み、嵌り込み状態で上面が周囲の幅広部とほぼ面一となり、框面の一部を形成するとともに、側面が入浴者の背中を受ける背凭れ部となる蓋部材を備えていることを特徴としている。
【発明の効果】
【００１０】
本発明の浴室構造は、以上のように、浴槽本体とこの浴槽本体の上縁から外側に張り出すように設けられた框部と、浴槽本体が底面から段状に高くなった腰掛け部とを備える浴槽を、介護者が、前記腰掛け部を背にして入浴した被介護者を前記底面から腰掛け部に腰掛けるように引き上げる第１引き上げ動作と、前記腰掛け部に腰掛けた被介護者をさらに腰掛け部近傍の框部に腰掛けるように引き上げる第２引き上げ動作とを行うことが可能に、少なくとも前記腰掛け部に座った被介護者の背面側の浴槽端縁と、浴室内壁面との間に、介護者が入り込む介護スペースを形成するように配置したので、介護者および被介護者に負担を掛けずに入浴した被介護者を浴槽からの引き上げ介助することができる。
すなわち、まず、介護者は、介護スペースに入り、被介護者を浴槽本体内に設けられた腰掛け部に腰掛けるように第１引き上げ動作を行うが、このとき、入浴状態の被介護者の体は、ほぼ胸から下側下半身が湯に浸かっているため、湯によって大きな浮力を受けている。したがって、介護者は、大きな力を使わずとも容易に被介護者を腰掛け部に掛けさせることができる。そして、第２引き上げ動作によって、腰掛け部に腰掛けて、腰の位置が高くなった被介護者を框部まで引き上げて腰掛けるようにするため、介護者も腰の位置を高くして引き上げることができるようになり、少ない負担で引き上げることができる。しかも、被介護者も腰の位置が足先より高くなっているので、浴槽底面に足の力を加えやすくなり、さらに被介護者の負担を軽減させることができる。
さらに、腰掛け部に座った被介護者の背面側の浴槽端縁と、浴室内壁面との間に、介護スペースが設けられ、介護者がこの介護スペースに体を入れて入浴中の被介護者の背中方向から介護作業を行うことができるので、介護作業性が向上する。
【００１１】
一方、本発明の浴槽は、框部の腰掛け部側部分の少なくとも腰掛け部の幅方向両側部分が框部の他の部分より外側に張り出す幅広に形成されているので、浴槽の長手方向の寸法を大きくすることなく、入浴時および引き上げ動作時に被介護者を安定した姿勢で框部に腰掛けさせることができる。
また、上記本発明の浴槽は、框部の幅広部を含む腰掛け部側部分の外縁が、浴槽の長軸に対して線対称の外側に凸となる湾曲形状をしている構成とすれば、幅方向にも大きく張り出すことを押さえるとともに、被介護者を引き上げる際の腰掛け部の後方からあるいは斜め後方からの距離もほぼ同じにすることができ、介護者の作業性がよくなる。
上記本発明の浴槽は、腰掛け部に着脱自在に嵌り込み、嵌り込み状態で上面が周囲の幅広部とほぼ面一となり、框面の一部を形成するとともに、側面が入浴者の背中を受ける背凭れ部となる蓋部材を備えている構成とすれば、框形成部材を腰掛け部に嵌め込んでおくと、入浴時、車椅子から框面に被介護者を腰掛けさせる際に乗り移らせやすく、安全である。
【図面の簡単な説明】
【００１２】
【図１】本発明にかかる浴槽の１つの実施の形態をあらわす平面図である。
【図２】図１の浴槽の側面図である。
【図３】図１のＡ−Ａ断面図である。
【図４】図１のＢ−Ｂ断面図である。
【図５】図１のＣ−Ｃ断面図である。
【図６】図２のＤ−Ｄ断面図である。
【図７】図１の浴槽を設置した浴室内部を上面から見た斜視図である。
【図８】被介護者が浴槽内へ入浴直前の框部への腰掛け状態をあらわす平面図である。
【図９】被介護者の入浴状態を示す平面図である。
【図１０】被介護者の入浴状態を示す側面図である。
【図１１】入浴状態の被介護者を引き上げる方向を説明する平面図である。
【図１２】第１引き上げ動作完了時の被介護者の姿勢を示す平面図である。
【図１３】第１引き上げ動作完了時の被介護者の姿勢を示す側面図である。
【図１４】第２引き上げ動作完了時の被介護者の姿勢を示す平面図である。
【図１５】第２引き上げ動作完了時の被介護者の姿勢を示す側面図である。
【発明を実施するための形態】
【００１３】
以下に、本発明を、その実施の形態をあらわす図面を参照しつつ詳しく説明する。
図１〜図６は、本発明の浴室構造に用いるのに好適な浴槽の１つの実施の形態をあらわしている。
【００１４】
図１、図３、図４に示すように、この浴槽１は、例えば、繊維強化不飽和ポリエステルから形成されていて、浴槽本体２と、框部本体３と、腰掛け部２１の蓋部材４とを備えている。
浴槽本体２は、長手方向の一側に腰掛け部２１が凹設されている。
【００１５】
腰掛け部２１の腰掛面は、浴槽底面２０から１０〜２０ｃｍの高さに形成されていて、その幅方向の寸法が３８〜５０ｃｍである。
また、腰掛け部２１の上端には框部本体３の上面より段状に落ち込む蓋部材受部２１ａが形成されている。
蓋部材受部２１ａは、後で詳述する蓋部材４の周縁を受けて、框形成部４１の上面を周囲の框部本体３の框面とほぼ面一となるように、すなわち、框形成部４１の上面が框面に一部を形成するように框形成部４１の厚み分框部本体３の上面から一段低くなっている。
また、浴槽本体２の長手方向に平行な両側面には、図２、図４〜図６に示すように、框部本体３の下端に沿って入浴者が体を支える把手用凹溝２２が形成されている。
【００１６】
框部本体３は、浴槽本体２の上端から外側に張り出すように設けられていて、浴槽本体２の腰掛け部側（長手方向の一側）に腰掛け部２１を両側から挟さむように幅広部３１、３１が設けられている。
すなわち、幅広部３１は、框部本体３の外縁が、浴槽の長軸に対して線対称の外側に凸となる湾曲形状に設けられ、浴槽１は浴槽本体２の長手方向一側が平面視できのこの傘状をしている。
なお、幅広部の大きさは、被介護者が安定して腰掛けることができれば、特に限定されないが、座骨結節の２点が載るサイズ（直径１４〜２０ｃｍの円形に近いサイズ）が好ましい。
【００１７】
したがって、図１１に示すように、腰掛け部２１の背後方向（図１１のＹ方向）あるいは斜め後ろ方向（図１１のＸ方向あるいはＺ方向）のいずれかに介護者が位置しても腰掛け部２１を背にして入浴中の被介護者７までの距離があまり変わらないように形成されている。
【００１８】
蓋部材４は、図３に示すように、断面略逆Ｌ字形をしていて、框形成部４１と、背凭れ部４２とを備えている。
そして、蓋部材４は、上述のように、蓋部材受部２１ａにその周縁が受けられるとともに、背凭れ部４２の周縁が浴槽本体２の内壁面と面一となるように腰掛け部２１にはまり込むように形成されている。
また、背凭れ部４２は、図１、図３、図４、図６に示すように、蓋部材４を取り外す場合の把手部となる長孔４２ａが穿設されている。
【００１９】
そして、この浴槽１は、例えば、図７に示すように、浴槽１の腰掛け部２１が設けられた側を浴室６の洗い場６２側に向け、他側を浴槽パン６１側の浴室６の内壁面６０に沿うように設置され、浴槽１の腰掛け部２１に腰掛けた被介護者７の背面後方および幅方向両側に介護スペースが形成されるように設置される。
なお、図７中、６３は、位置や方向を変更可能に内壁面６０に取り付けられる手摺部材である。
【００２０】
そして、図７に示すように、浴室６内に配置された浴槽１は、以下に図８〜図１５を用いて説明するように、足腰の弱い老人や身体障害者などの被介護者７の入浴介護に好適に用いられる。
【００２１】
まず、被介護者７を入浴させる場合には、図１に示すように、蓋部材４を腰掛け部２１を塞ぐようにセットした状態で、車椅子等によって浴室６内に運び入れた被介護者７を介護者（図示せず）が介助しながら、幅広部３１に腰掛けさせたのち、上半身を片手で支えながら、両足を持ち上げて上半身を幅広部３１上で回転させながらを両足を浴槽本体２内に臨ませ、図８に示すように、必要に応じて被介護者７を框形成部４１に腰掛けるように移動させる。
【００２２】
つぎに、介護者が被介護者７の上半身を支えながら、被介護者７を浴槽本体２方向に移動させて、図９および図１０に示すように、被介護者７を浴槽本体２内に入浴させる。
なお、入浴状態においては、浴槽１が把手用凹溝２２を備えているため、入浴した被介護者７は、この把手用凹溝２２に手先を入れて掴むことによって安定した入浴状態を維持できる。
【００２３】
一方、入浴が終わる、あるいは、体の洗浄や洗髪をするため一旦浴槽１外にでる場合、図１１に示すように、腰掛け部２１にはめ込んだ蓋部材４を取り外し、腰掛け部２１を浴槽本体２内に露出させたのち、介護者が矢印Ｘ，Ｙ、Ｚのいずれかの方向から、被介護者７の背面側から両脇に手を差し入れ、図１２および図１３に示すように、被介護者７の腰を腰掛け部２１に腰掛けさせる第１引き上げ動作を行う。
第１引き上げ動作では、被介護者７のほぼ胸から下側が湯に浸かっているので、被介護者７には、大きな浮力がかかっている。したがって、介護者は、中腰など不自然な姿勢でもあまり負荷を感じることなく、被介護者７を腰掛け部２１まで引き上げることができる。
【００２４】
第１引き上げ動作完了後、さらに、図１４および図１５に示すように、被介護者７の腰を幅広部３１に腰掛けさせる第２引き上げ動作を行う。
第２引き上げ動作では、被介護者７の腰の位置が浴槽底面より高い腰掛け部２１上にあるため、被介護者７の上半身も入浴状態よりは高くなっている。したがって、介護者も腰の位置を高くして引き上げることができるようになり、少ない負担で引き上げることができる。しかも、被介護者も腰の位置が足先より高くなっているので、浴槽底面に足の力を加えやすくなり、さらに被介護者の負担を軽減させることができる。
【００２５】
以上のように、本発明の浴室構造によれば、介助スペースが設けられているので、介護者が、前記腰掛け部を背にして入浴した被介護者を前記底面から腰掛け部に腰掛けるように引き上げる第１引き上げ動作と、前記腰掛け部に腰掛けた被介護者をさらに腰掛け部近傍の框部に腰掛けるように引き上げる第２引き上げ動作とを容易に行うことが可能になる。すなわち、第１引き上げ動作で、まず、浮力を利用して浴槽底面２０より高い位置である腰掛け部２１まで被介護者７を引き上げ、介護者が楽な姿勢になったのち、第２引き上げ動作を実施して被介護者を框面に腰掛けるようにできるので、介護者が無理な姿勢で大きな力を一気に加えることがなくなり、介護者への負担が軽減できるともに、介護者がバランスを崩したりすることが少なくなるため、結果として被介護者の安全性が高まる。
【００２６】
また、浴槽１は、框部３に幅広部３１を備えているので、浴槽に隣接してバスボード等を別途設置する必要がない。
しかも、浴槽に隣接してバスボードを設置した場合、皮膚の弱い老人などは、バスボードに車椅子から乗り移る際、また、バスボードから浴槽の框部を介して入浴する場合に、バスボードと車椅子との隙間あるいはバスボードと框部との隙間で皮膚を挟みこんだりすることがあるが、そのような問題を軽減できる。
【００２７】
また、浴槽１は、幅広部３１が、框部本体３の外縁が腰掛け部２１の幅方向の中心から幅方向の両側に向かって、外側に凸となる湾曲形状に設けられ、腰掛け部２１の背後方向（図１１のＹ方向）あるいは斜め後ろ方向（図１１のＸ方向あるいはＺ方向）のいずれかに介護者が位置しても腰掛け部２１を背にして入浴中の被介護者７までの距離があまり変わらないように形成されているので、介護者にとって作業性がよい。
【００２８】
上記の実施の形態では、浴槽を、浴槽の腰掛け部側および短手方向両側に介護スペースを設けるように浴室内に設置していたが、腰掛け部側に介護スペースを確保できれば、どのような配置でも構わない。
また、浴槽を浴室内でスライド可能に設けるようにしても構わない。
【００２９】
上記の実施の形態では、框形成部材を入浴時にセットしておくようにしていたが、入浴後に背凭れのみの目的で浴槽本体にセットしても構わない。
上記の実施の形態では、腰掛け部の幅方向の両側に幅広部が設けられていたが、片側でも構わない。
【００３０】
上記の実施の形態では、浴槽の腰掛け部側および浴槽の幅方向両側に介護スペースが設けられていたが、浴槽の腰掛け部側と、浴槽の幅方向片側に介護スペースが設けられていても構わない。
【符号の説明】
【００３１】
１  浴槽
２  浴槽本体
２１  腰掛け部
２１ａ  蓋部材受部
２２  把手用凹溝
３  框部本体
３１  幅広部
４  蓋部材
４１  框形成部
４２  背凭れ部
４２ａ  長孔
６  浴室
６１  洗い場
６２  浴槽パン
６３  内壁面
７  被介護者
【図１】
2014061138.tif 000003
【図２】
2014061138.tif 000004
【図３】
2014061138.tif 000005
【図４】
2014061138.tif 000006
【図５】
2014061138.tif 000007
【図６】
2014061138.tif 000008
【図７】
2014061138.tif 000009
【図８】
2014061138.tif 000010
【図９】
2014061138.tif 000011
【図１０】
2014061138.tif 000012
【図１１】
2014061138.tif 000013
【図１２】
2014061138.tif 000014
【図１３】
2014061138.tif 000015
【図１４】
2014061138.tif 000016
【図１５】
2014061138.tif 000017